(57)【特許請求の範囲】
【請求項１】
複数のサービスネットワークを収容するバックボーンネットワークにおいて、前記バックボーンネットワークのリソースを前記複数のサービスネットワークに対し提供する境界ノード装置であって、
前記バックボーンネットワークのリソースを予約して記憶手段に格納するリソース予約手段と、
前記リソース予約手段が予約したリソースを前記複数のサービスネットワークに提供して共用させるリソース提供手段と、
前記リソース予約手段が予約したリソースと、前記リソース提供手段が提供したリソースとの対応情報を管理する一元管理手段と、
前記リソース予約手段が予約したリソースに関する障害を検知する障害検知手段と、
前記障害検知手段が障害を検知したリソースから前記一元管理手段の対応情報によって対応付けられるリソースを解放するリソース解放手段と、を有し、
前記複数のサービスネットワークは、優先度の高いサービスを提供する高優先ネットワーク、および、優先度の低いサービスを提供する低優先ネットワークを有し、
前記リソース予約手段は、前記バックボーンネットワークのリソースを現用リソースおよび予備リソースから構成される冗長リソースペアとして予約し、
前記リソース提供手段は、現用リソースおよび予備リソースを前記高優先ネットワークに提供し、かつ、予備リソースを前記低優先ネットワークに提供し、
前記リソース解放手段は、前記高優先ネットワークの現用リソースおよび前記低優先ネットワークの予備リソースを解放すること
を特徴とする境界ノード装置。
【請求項２】
複数のサービスネットワークを収容するバックボーンネットワークにおいて、前記バックボーンネットワークのパスを前記複数のサービスネットワークに対し提供する境界ノード装置であって、
前記バックボーンネットワークにパスを確立して記憶手段に格納するパス確立手段と、
前記パス確立手段が確立したパスを前記複数のサービスネットワークにリソースとして提供して共用させるパス提供手段と、
前記パス確立手段が確立したパスと、前記パス提供手段が提供したリソースとの対応情報を管理する一元管理手段と、
前記パス確立手段が確立したパスに関する障害を検知する障害検知手段と、
前記障害検知手段が検知したパスから前記一元管理手段の対応情報によって対応付けられるリソースを解放するパス解放手段と、を有し、
前記複数のサービスネットワークは、優先度の高いサービスを提供する高優先ネットワーク、および、優先度の低いサービスを提供する低優先ネットワークを有し、
前記パス確立手段は、前記バックボーンネットワークのパスを現用パスおよび予備パスから構成される冗長パスとして予約し、
前記パス提供手段は、現用パスおよび予備パスを前記高優先ネットワークに提供し、かつ、予備パスを前記低優先ネットワークに提供し、
前記パス解放手段は、前記高優先ネットワークの現用パスおよび前記低優先ネットワークの予備パスを解放すること
を特徴とする境界ノード装置。
【請求項３】
複数のサービスネットワークを収容するバックボーンネットワークにおいて、前記バックボーンネットワークのリソースを前記複数のサービスネットワークに対し提供する境界ノード装置によるリソース共有方法であって、
前記境界ノード装置は、
前記バックボーンネットワークのリソースを予約して記憶手段に格納するリソース予約手段と、
前記リソース予約手段が予約したリソースを前記複数のサービスネットワークに提供して共用させるリソース提供手段と、
前記リソース予約手段が予約したリソースと、前記リソース提供手段が提供したリソースとの対応情報を管理する一元管理手段と、
前記リソース予約手段が予約したリソースに関する障害を検知する障害検知手段と、
前記障害検知手段が障害を検知したリソースから前記一元管理手段の対応情報によって対応付けられるリソースを解放するリソース解放手段と、を有し、
前記複数のサービスネットワークは、優先度の高いサービスを提供する高優先ネットワーク、および、優先度の低いサービスを提供する低優先ネットワークを有し、
前記リソース予約手段は、前記バックボーンネットワークのリソースを現用リソースおよび予備リソースから構成される冗長リソースペアとして予約し、
前記リソース提供手段は、現用リソースおよび予備リソースを前記高優先ネットワークに提供し、かつ、予備リソースを前記低優先ネットワークに提供し、
前記リソース解放手段は、前記高優先ネットワークの現用リソースおよび前記低優先ネットワークの予備リソースを解放すること
を特徴とするリソース共有方法。
【請求項４】
複数のサービスネットワークを収容するバックボーンネットワークにおいて、前記バックボーンネットワークのパスを前記複数のサービスネットワークに対し提供する境界ノード装置によるリソース共有方法であって、
前記境界ノード装置は、
前記バックボーンネットワークにパスを確立して記憶手段に格納するパス確立手段と、
前記パス確立手段が確立したパスを前記複数のサービスネットワークにリソースとして提供して共用させるパス提供手段と、
前記パス確立手段が確立したパスと、前記パス提供手段が提供したリソースとの対応情報を管理する一元管理手段と、
前記パス確立手段が確立したパスに関する障害を検知する障害検知手段と、
前記障害検知手段が検知したパスから前記一元管理手段の対応情報によって対応付けられるリソースを解放するパス解放手段と、を有し、
前記複数のサービスネットワークは、優先度の高いサービスを提供する高優先ネットワーク、および、優先度の低いサービスを提供する低優先ネットワークを有し、
前記パス確立手段は、前記バックボーンネットワークのパスを現用パスおよび予備パスから構成される冗長パスとして予約し、
前記パス提供手段は、現用パスおよび予備パスを前記高優先ネットワークに提供し、かつ、予備パスを前記低優先ネットワークに提供し、
前記パス解放手段は、前記高優先ネットワークの現用パスおよび前記低優先ネットワークの予備パスを解放すること
を特徴とするリソース共有方法。 
【発明の詳細な説明】
【技術分野】
【０００１】
本発明は、境界ノード装置およびリソース共有方法に関する。
【背景技術】
【０００２】
マルチレイヤネットワークは、レイヤ１からレイヤ３までを収容するバックボーンネットワークと、レイヤ２またはレイヤ３を収容するサービスネットワークとで構成される。そして、サービスネットワークにおいてノード装置間でリンクを確立するために、バックボーンネットワークにおいてノード装置間で確立されたパスが提供される（例えば、非特許文献１）。
【非特許文献１】K.Kompella et al,“LSP Hierarchy with Generalized MPLS TE,RFC4206 Label Switched Paths (LSP) Hierarchy with Generalized Multi-Protocol Label Switching(GMPLS)Traffic Engineering(TE)”、[online]、［平成１７年１２月６日検索］、インターネット＜ＵＲＬ：http://www.ietf.org/rfc/rfc4206.txt＞
【発明の開示】
【発明が解決しようとする課題】
【０００３】
従来のマルチレイヤネットワークの規定では、バックボーンネットワークとサービスネットワークとが１対１で対応する構成のみが実現されていた。つまり、この１対１の構成では、バックボーンネットワークのリソースは、対応するサービスネットワークのみが使用できた。
【０００４】
しかし、サービスネットワークのトラフィックが少ないときには、バックボーンネットワークのリソースに空きができてしまい、ネットワークの利用効率が悪かった。また、複数のサービスネットワークを実現するために、同じ数のバックボーンネットワークを用意することは、ネットワークの導入コストから考えて現実的ではない。
【０００５】
そこで、本発明は、前記した問題を解決し、マルチレイヤネットワークの利用効率を高めることを主な目的とする。
【課題を解決するための手段】
【０００６】
前記課題を解決するために、本発明は、複数のサービスネットワークを収容するバックボーンネットワークにおいて、前記バックボーンネットワークのリソースを前記複数のサービスネットワークに対し提供する境界ノード装置であって、前記バックボーンネットワークのリソースを予約して記憶手段に格納するリソース予約手段と、前記リソース予約手段が予約したリソースを前記複数のサービスネットワークに提供して共用させるリソース提供手段と、前記リソース予約手段が予約したリソースと、前記リソース提供手段が提供したリソースとの対応情報を管理する一元管理手段と、前記リソース予約手段が予約したリソースに関する障害を検知する障害検知手段と、前記障害検知手段が障害を検知したリソースから前記一元管理手段の対応情報によって対応付けられるリソースを解放するリソース解放手段と、を有し、前記複数のサービスネットワークは、優先度の高いサービスを提供する高優先ネットワーク、および、優先度の低いサービスを提供する低優先ネットワークを有し、前記リソース予約手段は、前記バックボーンネットワークのリソースを現用リソースおよび予備リソースから構成される冗長リソースペアとして予約し、前記リソース提供手段は、現用リソースおよび予備リソースを前記高優先ネットワークに提供し、かつ、予備リソースを前記低優先ネットワークに提供し、前記リソース解放手段は、前記高優先ネットワークの現用リソースおよび前記低優先ネットワークの予備リソースを解放することを特徴とする。さらに、本発明は、前記境界ノード装置が前記の各処理を実行するリソース共有方法である。
【０００７】
これにより、境界ノード装置は、複数のサービスネットワークに対して、バックボーンネットワークの同一のリソースを提供することにより、ネットワークリソースの利用効率を高めることができる。
さらに、バックボーンネットワークにて障害が発生した際も、円滑な障害復旧が可能となる。そして、バックボーンネットワークにて障害が発生した際も、高優先ネットワークの通信ロスを低減できるとともに、障害発生前は、低優先ネットワークのリソース利用効率を高めることができる。
【００１２】
本発明は、複数のサービスネットワークを収容するバックボーンネットワークにおいて、前記バックボーンネットワークのパスを前記複数のサービスネットワークに対し提供する境界ノード装置であって、前記バックボーンネットワークにパスを確立して記憶手段に格納するパス確立手段と、前記パス確立手段が確立したパスを前記複数のサービスネットワークにリソースとして提供して共用させるパス提供手段と、前記パス確立手段が確立したパスと、前記パス提供手段が提供したリソースとの対応情報を管理する一元管理手段と、前記パス確立手段が確立したパスに関する障害を検知する障害検知手段と、前記障害検知手段が検知したパスから前記一元管理手段の対応情報によって対応付けられるリソースを解放するパス解放手段と、を有し、前記複数のサービスネットワークは、優先度の高いサービスを提供する高優先ネットワーク、および、優先度の低いサービスを提供する低優先ネットワークを有し、前記パス確立手段は、前記バックボーンネットワークのパスを現用パスおよび予備パスから構成される冗長パスとして予約し、前記パス提供手段は、現用パスおよび予備パスを前記高優先ネットワークに提供し、かつ、予備パスを前記低優先ネットワークに提供し、前記パス解放手段は、前記高優先ネットワークの現用パスおよび前記低優先ネットワークの予備パスを解放することを特徴とする。さらに、本発明は、前記境界ノード装置が前記の各処理を実行するリソース共有方法である。
【００１３】
これにより、境界ノード装置は、複数のサービスネットワークに対して、バックボーンネットワークの同一のリソースを提供することにより、ネットワークリソースの利用効率を高めることができる。
さらに、バックボーンネットワークにて障害が発生した際も、円滑な障害復旧が可能となる。そして、バックボーンネットワークにて障害が発生した際も、高優先ネットワークの通信ロスを低減できるとともに、障害発生前は、低優先ネットワークのリソース利用効率を高めることができる。
【発明の効果】
【００２０】
本発明により、１つのバックボーンネットワークのリソースが、複数のサービスネットワークに提供されるので、マルチレイヤネットワークの利用効率を高めることができる。
【発明を実施するための最良の形態】
【００２１】
以下に、本発明が適用されるネットワークシステムの第１実施形態について、図面を参照して詳細に説明する。第１実施形態は、第２実施形態および第３実施形態における概要を説明するものである。
【００２２】
図１は、第１実施形態のネットワークシステムの構成図である。図１のネットワークシステムは、リソースを提供するバックボーンネットワーク１０００、および、提供されたリソースを用いてサービスを提供する複数のサービスネットワーク２０００を有する。なお、リソースの提供は、例えば、バックボーンネットワーク１０００の帯域や波長などをリソースとして提供するもの（第２実施形態で説明）、または、バックボーンネットワーク１０００にはられたパス１０をリンク２０というリソースとして提供するもの（第３実施形態で説明）が挙げられる。パス１０は、バックボーンネットワーク１０００に存在する物理的または論理的なリンク（図示省略）の集合である。
【００２３】
サービスネットワーク２０００が提供するサービスは、例えば、ＶｏＩＰ（Voice over Internet Protocol）による音声通話サービス、および、専用線サービスなどの通信における優先度の高いサービス、ならびに、インターネット接続サービスなどの優先度の低いサービスが挙げられる。そこで、図１では、優先度の高いサービスを提供する高優先ネットワーク２００１、および、優先度の低いサービスを提供する低優先ネットワーク２００２を別々に配置している。
【００２４】
バックボーンネットワーク１０００は、境界ノード装置１００−１、境界ノード装置１００−２、中継ノード装置２００−１、中継ノード装置２００−２、および、中継ノード装置２００−３を有する。サービスネットワーク２０００は、複数のノード装置１を有する。バックボーンネットワーク１０００を構成する各装置は、光クロスコネクト、ルータ、または、スイッチなどからなる通信装置である。また、バックボーンネットワーク１０００を構成する各装置は、その個数が特に図１の個数に限定されるものではない。
【００２５】
ここで、図１に示す各ノード装置は、演算処理を行う際に用いられる記憶手段としてのメモリと、前記演算処理を行う演算処理装置と、データを入出力するためのインタフェースとを少なくとも備えるコンピュータとして構成される。なお、メモリは、ＲＡＭ（Random Access Memory）などにより構成される。演算処理は、ＣＰＵ（Central Processing Unit）によって構成される演算処理装置が、メモリ上のプログラムを実行することで、実現される。
【００２６】
なお、図１では、境界ノード装置１００−１およびノード装置１を縦方向に囲む２重波線を示している。この２重波線で囲まれた装置群は、論理的に１台の装置であることを示す。よって、論理的に１台の装置である境界ノード装置１００−１およびノード装置１は、同一の筐体で構成されていてもよいし、異なった筐体を接続することで構成されていてもよい。なお、本実施形態では、バックボーンネットワーク１０００のノード装置に対して、論理的に１台の装置になりうる装置を境界ノード装置とし、そうでない装置を中継ノード装置としている。
【００２７】
図２は、複数のサービスネットワーク２０００が１つのリソースを共有する旨を説明する図である。まず、バックボーンネットワーク１０００において、パス１０がはられる（図２（ａ）参照）。次に、バックボーンネットワーク１０００の境界ノード装置１００−１は、サービスネットワーク２０００のノード装置１に対して、パス１０をリソースとして割り当てる。ここで、境界ノード装置１００−１は、１つのパス１０を、高優先ネットワーク２００１にはリソース１０−１として割り当てるとともに、低優先ネットワーク２００２にはリソース１０−２として割り当てることにより、複数のサービスネットワーク２０００が１つのリソースを共有する（図２（ｂ）参照）。
【００２８】
図２（ｃ）は、冗長リソースペアを割り当てる一例を示す。境界ノード装置１００−１は、バックボーンネットワーク１０００にて冗長構成のパス１０を確立する。パス１０は、現用パス（プライマリパス）および予備パス（セカンダリパス）のペアにより構成される。境界ノード装置１００−１は、高優先ネットワーク２００１に対しては、冗長構成のパスの両方を、冗長リソースペア（現用リソース１０−３、および、予備リソース１０−４）として割り当てる。境界ノード装置１００−１は、低優先ネットワーク２００２に対しては、冗長構成のパスの片方（予備パス）を、リソース１０−５として割り当てる。
【００２９】
図３は、図２（ｃ）に示すように割り当てられたリソースをもとにした、障害対策処理の説明図である。高優先ネットワーク２００１の現用リソース１０−３において、障害が発生したとする（図３（ａ）参照）。なお、障害は、現用リソース１０−３という論理的なリソースに対応付けられているバックボーンネットワーク１０００にて発生している。高優先ネットワーク２００１のノード装置１は、トラフィックを転送するために使用するリソースを、現用リソース１０−３から予備リソース１０−４へと切り替える。また、低優先ネットワーク２００２のノード装置１は、予備リソース１０−４が使用されたことに伴い、自ネットワークで共有されていたリソース１０−５を、削除する（図３（ｂ）参照）。その結果、高優先ネットワーク２００１では、予備リソース１０−４を介してトラフィックが転送される（図３（ｃ）参照）。
【００３０】
以下、第１実施形態を適宜参照しつつ、第２実施形態を説明する。第２実施形態は、サービスネットワーク２０００において共有されるリソースが、バックボーンネットワーク１０００のリソース（帯域）である。
【００３１】
図４は、バックボーンネットワーク１０００における境界ノード装置の構成図である。境界ノード装置１００−１および境界ノード装置１００−２は、基本的に同一の構成とするが、図４においては、リソースを予約する主体である境界ノード装置１００−１の構成を中心に説明する。
【００３２】
境界ノード装置１００−１は、ネットワークごとに、ネットワークに関する情報を有するデータベース４０，４１，４２を記憶手段に保持している。データベース４０は、バックボーンネットワーク１０００に関する情報を保持し、データベース４１は、高優先ネットワーク２００１に関する情報を保持し、データベース４２は、低優先ネットワーク２００２に関する情報を保持する。以下が、各データベースに保持されるデータであり、例えば、バックボーンネットワーク１０００に存在するノード装置のＩＤ、ノード装置が保持するリンク構成である。以下、各表に示された各パラメータの詳細を説明する。
【表１】
0004546921.tif 000002
【００３３】
Node ID（Router IDとも呼ばれる）は、境界ノード装置をネットワークで一意に特定するためのＩＤである。バックボーンネットワーク１０００とサービスネットワーク２０００とでは、異なるNode IDを用いてもよいし、同一のNode IDを保持することも可能である。
【００３４】
Link IDは、境界ノード装置が保持するLink（物理的なInterface、または、論理的なInterface）に割り振られるIDである。アドレスを明示的に付与するのではなく、Node IDと Link IDによりネットワークの一意なLinkが指定されることが可能となる。バックボーンネットワーク１０００とサービスネットワーク２０００とでは、異なるLink IDを用いてもよいし、同一のLink IDを保持することも可能である。
【００３５】
Interface addressは、境界ノード装置が保持するLink（物理的なInterface、または、論理的なInterface）に割り振られるアドレスであり、ネットワーク内において一意に特定可能なものである。バックボーンネットワーク１０００ととサービスネットワーク２０００とでは、異なるInterface addressを用いてもよいし、同一のInterface addressを保持することも可能である。
【００３６】
Neighbor addressは、ノード装置が保持するLink（物理的なInterface、または、論理的なInterface）において、ノード装置の対向に存在するノード装置の保持するAddressである。
【００３７】
Bandwidth(Priority含む)は、Linkが保持する帯域である。予約された帯域または予約されていない帯域を個別で示すことが可能であり、かつ予約帯域あるいは空帯域はPriority（例えば０〜７の８段階）情報を保持する。
【００３８】
Switching typeは、Linkが保持するSwitch能力である。各ノード装置の保持するSwitch能力と言い換えることが可能であり、例えば、ノード装置がPacket nodeであればSwitch能力としてはパケット交換の能力を保持し、WDMのような波長を扱う装置であれば、Switch能力としては波長交換の能力を保持する。
【００３９】
Encoding typeは、各Linkが保持するEncodeのTypeである。
【００４０】
Protection typeは、各Linkが保持するProtectionのTypeである。例えば、「１＋１ Protection」を保持するLinkは、冗長構成になっている。
【００４１】
なお、各データベースは、格納するデータが関連づけて管理される。関連づけは、例えば、１つのリソース（バックボーンネットワーク１０００のリソースやパス）と、複数のリンク（サービスネットワーク２０００ごとの論理的なリソース）との関連づけである。この関連づけは、例えば、高優先ネットワーク２００１に冗長パスのすべてをリンクとして提供し、かつ、低優先ネットワーク２００２に予備パスをリンクとして提供する旨の関連づけである。この関連づけは、例えば、リソースを示すレコードの属性情報として、例えば、ハイパーリンク形式によりデータベース４０に格納される。
【００４２】
さらに、境界ノード装置１００−１は、ＣＰＵがプログラムを実行することにより、リソース予約手段１２Ａ、提供元リソース格納手段１４Ａ、提供先リソース格納手段１６Ａ、リソース提供手段１８Ａ、リソース解放手段２０Ａ、一元管理手段２２、障害検知手段２４、優先度付手段３２、切替手段３４、および、削除手段３６を有する。境界ノード装置１００−２は、境界ノード装置１００−１と同じ手段を有するが、図４においては一部の手段を図示省略している。
【００４３】
リソース予約手段１２Ａは、バックボーンネットワーク１０００のリソースを予約する。なお、リソースの予約は、図示しない集中管理サーバからＳＮＭＰ（Simple Network Management Protocol）に従った管理コマンドを各ノード装置に送信することによって実現してもよい。管理コマンドには、例えば予約対象となるリソースの識別情報および予約対象となるトラフィックのペアが記述されている。管理コマンドを受信したノード装置は、予約対象となるトラフィックが予約対象となるリソースを占有または優先的に使用できるように、トラフィックを制御することにより、予約を実現する。
【００４４】
提供元リソース格納手段１４Ａは、リソース予約手段１２Ａが予約したリソースをデータベース４０に格納する。提供先リソース格納手段１６Ａは、提供元リソース格納手段１４Ａに格納されたリソースを提供先のリソースとしてデータベース４１およびデータベース４２に格納する。一元管理手段２２は、バックボーンネットワーク１０００の予約したリソースをデータベース４０，４１，４２にて管理する際に、それらをどのサービスネットワーク２０００に対し提供するか、またその優先順位はどうするかといった情報を括り付けておくことにより、バックボーンネットワーク１０００のリソースとサービスネットワーク２０００に対し提供されたリソースを関連づけて一元管理する。
【００４５】
なお、一元的な管理とは、境界ノード装置が、複数のサービスネットワーク２０００に対し提供される論理的なリソースと、バックボーンネットワーク１０００のリソースを関連づける際に、それぞれのネットワークにＩＤを付与し、それぞれのネットワークにて広告される情報を関連づけることにより、実現される。
【００４６】
リソース提供手段１８Ａは、バックボーンネットワーク１０００のリソースをサービスネットワーク２０００に提供する。リソース提供手段１８Ａは、例えば、図２（ｃ）に示すように、高優先ネットワーク２００１に冗長リソースペアを提供するとともに、低優先ネットワーク２００２に対して予備パスに対応するリソースを提供する。リソース解放手段２０Ａは、バックボーンネットワーク１０００のリソースが存在しなくなることに伴い、バックボーンネットワーク１０００の障害に関与した終端装置である境界ノード装置との間のリソースを解放する。
【００４７】
優先度付手段３２は、バックボーンネットワーク１０００のリソースを複数のサービスネットワーク２０００に対し提供する際に、現用リソースには高い優先度とし、予備リソースには低い優先度にするなどの優先度を付ける。障害検知手段２４は、例えば図３（ａ）に示すように、現用リソースなどの共用されるリソースにおいて発生した障害（リンクのダウンなど）を検知する。切替手段３４は、障害検知手段２４からの障害通知により、サービスネットワーク２０００の現用リソースから予備リソースに切り替える。
【００４８】
削除手段３６は、障害検知手段２４からの障害通知により、サービスネットワーク２０００から共有されるリソースを削除する。削除手段３６は、例えば図３（ｂ）に示すように、低優先ネットワーク２００２に対して提供していたリソースを削除する。この際、削除される情報は、例えば、サービスネットワーク２０００に提供されたバックボーンネットワーク１０００のエンドポイントとなっている境界ノード装置の間に存在するリンクリソース情報である。
【００４９】
図５は、リソース共有方法の処理の流れを示すフローチャートである。以下、図５に沿って、境界ノード装置１００−１がサービスネットワーク２０００にリソースを提供する処理を説明する。リソース予約手段１２Ａは、バックボーンネットワーク１０００のリソースを予約する（Ｓ１０１〜Ｓ１０３）。提供元リソース格納手段１４Ａは、予約したバックボーンネットワーク１０００のリソースをデータベース４０に格納する（Ｓ１１１，Ｓ１１２）。リソース提供手段１８Ａは、予約したバックボーンネットワーク１０００のリソースをサービスネットワーク２０００に対して提供する（Ｓ１２１，Ｓ１２２）。
【００５０】
提供先リソース格納手段１６Ａは、提供したバックボーンネットワーク１０００のリソースを各サービスネットワーク２０００のデータベース４１，４２に格納する（Ｓ１２３）。一元管理手段２２は、バックボーンネットワーク１０００のリソースとサービスネットワーク２０００に提供したリソースを一元的に管理する（Ｓ１２４）。
【００５１】
障害検知手段２４は、発生した障害を検知する（Ｓ１３１）。リソース解放手段２０Ａは、提供されたリソースを解放する（Ｓ１４１〜Ｓ１４３）。削除手段３６は、サービスネットワーク２０００のデータベースから解放したリソースに関する情報を削除する（Ｓ１５１）。切替手段３４は、解放したリソースを介して転送していたトラフィックを、別のリソースを介して転送するように、切り替える。（Ｓ１６１，Ｓ１６２）。
【００５２】
以下、第１実施形態を適宜参照しつつ、第３実施形態を説明する。第３実施形態は、サービスネットワーク２０００において共有されるリソースが、バックボーンネットワーク１０００においてはられたパスである。
【００５３】
図６は、バックボーンネットワーク１０００における境界ノード装置の構成図である。図６は、図４と同一の構成となる手段については、同じ符号を付しているので、説明を省略する。以下は、図４との差異が生じる構成要素を説明する。
【００５４】
パス確立手段１２Ｂは、バックボーンネットワーク１０００のリソースを用いてパスを確立する。提供元パス格納手段１４Ｂは、パス確立手段１２Ｂが確立したパスの情報を格納し、提供先パス格納手段１６Ｂは、提供元パス格納手段１４Ｂのパスの情報を、サービスネットワーク２０００のリソースとして格納する。パス解放手段２０Ｂは、障害通知受信手段２８が自装置の障害検知手段２４および他装置の障害通知手段２６からの障害通知を受信したことをトリガとして、バックボーンネットワーク１０００のリソースが存在しなくなることを検知し、バックボーンネットワーク１０００の障害に関与した終端装置である境界ノード装置との間のパスを解放する。
【００５５】
ここで、障害通知手段２６は、省略可能である。障害通知手段２６は、障害箇所を含めたネットワークトポロジの最新情報を通知する。これにより、パス確立手段１２Ｂは、障害箇所を避けるようにしてパスを設定することができるので、障害復旧を円滑に実現することができる。
【００５６】
なお、パスの制御手段（パス確立手段１２Ｂ、パス解放手段２０Ｂ）は、ＲＳＶＰ（Resource reSerVation Protocol）などのシグナリングプロトコルなどを用いて、バックボーンネットワーク１０００のリソースを確保し、パスを確立してもよい。これにより、より柔軟なサービス制御ができる。一方、パスの制御手段は、境界ノード装置へのスタティックな設定により実施されてもよいし、サービスネットワーク２０００からのリソース提供要求などによりなされてもよい。
【００５７】
障害通知手段２６は、自装置の障害を障害通知受信手段２８に通知する。障害通知受信手段２８は、中継ノード装置２００−１あるいは対向する境界ノード装置１００−２の障害通知手段２６より、障害通知を受信する。
【００５８】
図７は、リソース共有方法の処理の流れを示すフローチャートである。以下、図７に沿って、境界ノード装置１００−１がサービスネットワーク２０００にリソースを提供する処理を説明する。パス確立手段１２Ｂは、バックボーンネットワーク１０００のパスを確立する（Ｓ２０１〜Ｓ２０３）。提供元パス格納手段１４Ｂは、確立したバックボーンネットワーク１０００のパスをリソースとしてデータベース４０に格納する（Ｓ２１１，Ｓ２１２）。パス提供手段１８Ｂは、確立したバックボーンネットワーク１０００のパスをリソースとしてサービスネットワーク２０００に対して提供する（Ｓ２２１，Ｓ２２２）。
【００５９】
提供先パス格納手段１６Ｂは、提供されたバックボーンネットワーク１０００のリソースを各サービスネットワーク２０００のデータベースに格納する（Ｓ２２３）。一元管理手段２２は、バックボーンネットワーク１０００のリソースとサービスネットワーク２０００に提供したリソースを一元的に管理する（Ｓ２２４）。
【００６０】
障害検知手段２４は、発生した障害を検知する（Ｓ２３１）。パス解放手段２０Ｂは、提供されたリソースを解放する（Ｓ２４１〜Ｓ２４３）。削除手段３６は、サービスネットワーク２０００のデータベースから解放したリソースに関する情報を削除する（Ｓ２５１）。切替手段３４は、解放したリソースを介して転送していたトラフィックを、別のリソースを介して転送するように、切り替える。（Ｓ２６１，Ｓ２６２）。
【図面の簡単な説明】
【００６１】
【図１】本発明の第１実施形態に関するネットワークシステムを示す構成図である。
【図２】本発明の第１実施形態に関する複数のサービスネットワークが１つのリソースを共有する旨を示す説明図である。
【図３】本発明の第１実施形態に関する障害対策処理を示す説明図である。
【図４】本発明の第２実施形態に関する境界ノード装置を示す構成図である。
【図５】本発明の第２実施形態に関するリソース共有方法の処理の流れを示すフローチャートである。
【図６】本発明の第３実施形態に関する境界ノード装置を示す構成図である。
【図７】本発明の第３実施形態に関するリソース共有方法の処理の流れを示すフローチャートである。
【符号の説明】
【００６２】
１２Ａ  リソース予約手段
１２Ｂ  パス確立手段
１８Ａ  リソース提供手段
１８Ｂ  パス提供手段
２０Ａ  リソース解放手段
２０Ｂ  パス解放手段
２２    一元管理手段
２４    障害検知手段
２６    障害通知手段
１０００  バックボーンネットワーク
２０００  サービスネットワーク
２００２  低優先ネットワーク
２００１  高優先ネットワーク
【図１】
0004546921.tif 000003
【図２】
0004546921.tif 000004
【図３】
0004546921.tif 000005
【図４】
0004546921.tif 000006
【図５】
0004546921.tif 000007
【図６】
0004546921.tif 000008
【図７】
0004546921.tif 000009